(57)【要約】【課題】携帯電話機の操作性を向上できるメニュー管理システム及び方法を提供する。【解決手段】携帯電話機は、ユーザによる機能毎の選択回数を示す機能選択情報を収集し、該機能選択情報を移動通信システムを介してメニュー管理局へ送信する。メニュー管理局は、携帯電話機から送信された機能選択情報を該携帯電話機のユーザ情報の項目毎に情報格納局へ蓄積し、携帯電話機からメニュー画面の取得要求を受信すると、該携帯電話機のユーザの特徴に合致するメニュー画面を表示するためのメニュー情報を作成し、該メニュー情報を該携帯電話機へ送信する。携帯電話機は受信したメニュー情報に基づいてメニュー画面を更新する。【選択図】図１
2011182180.tif 000002
【特許請求の範囲】
【請求項１】
ユーザによる機能毎の選択回数を示す機能選択情報を収集する携帯電話機と、
前記携帯電話機による通話やデータ通信を可能にする移動通信システムと、
前記携帯電話機から送信された前記機能選択情報を保存する、前記移動通信システムに接続された情報格納局と、
前記携帯電話機から送信された前記機能選択情報を該携帯電話機のユーザの特徴を示すユーザ情報の項目毎に前記情報格納局に蓄積し、前記携帯電話機からメニュー画面の取得要求を受信すると、該携帯電話機のユーザの特徴に合致するメニュー画面を該携帯電話機に表示するためのメニュー情報を作成し、該メニュー情報を該携帯電話機へ送信する、前記移動通信システムに接続されたメニュー管理局と、
を有するメニュー管理システム。
【請求項２】
前記携帯電話機は、
予め設定された時間帯毎に前記機能選択情報を収集し、
前記メニュー管理局は、
前記時間帯毎に作成した前記メニュー情報を前記携帯電話機へ送信する請求項１記載のメニュー管理システム。
【請求項３】
前記メニュー管理局は、
前記移動通信システムに対してユーザ毎の機能選択情報の報告要求を送信し、
前記移動通信システムは、
前記メニュー管理局から前記機能選択情報の報告要求を受信すると、自システムが管理している携帯電話機に対して前記機能選択情報の報告要求を転送し、
前記携帯電話機は、前記機能選択情報の報告要求を受信すると、前記機能選択情報及び前記ユーザ情報を、前記移動通信システムを介して前記メニュー管理局へ送信する請求項１または２記載のメニュー管理システム。
【請求項４】
携帯電話機が、
ユーザによる機能毎の選択回数を示す機能選択情報を収集し、
前記携帯電話機による通話やデータ通信を可能にする移動通信システムに接続されたメニュー管理局へ前記機能選択情報を送信し、
前記メニュー管理局が、
前記携帯電話機から送信された前記機能選択情報を該携帯電話機のユーザの特徴を示すユーザ情報の項目毎に前記情報格納局に蓄積し、
前記携帯電話機からメニュー画面の取得要求を受信すると、該携帯電話機のユーザの特徴に合致するメニュー画面を該携帯電話機に表示するためのメニュー情報を作成し、該メニュー情報を該携帯電話機へ送信するメニュー管理方法。
【請求項５】
前記携帯電話機が、
予め設定された時間帯毎に前記機能選択情報を収集し、
前記メニュー管理局が、
前記時間帯毎に作成した前記メニュー情報を前記携帯電話機へ送信する請求項４記載のメニュー管理方法。
【請求項６】
前記メニュー管理局が、
前記移動通信システムに対してユーザ毎の機能選択情報の報告要求を送信し、
前記移動通信システムが、
前記メニュー管理局から前記機能選択情報の報告要求を受信すると、自システムが管理している携帯電話機に対して前記機能選択情報の報告要求を転送し、
前記携帯電話機は、
前記機能選択情報の報告要求を受信すると、前記機能選択情報及び前記ユーザ情報を、前記移動通信システムを介して前記メニュー管理局へ送信する請求項４または５記載のメニュー管理方法。
【請求項７】
ユーザによる機能毎の選択回数を示す機能選択情報を保存するデータ格納部と、
前記ユーザによる操作に基づいて前記機能毎の選択回数を前記データ格納部へ格納すると共に、自機による通話やデータ通信を可能にする移動通信システムに接続されたメニュー管理局へ前記機能選択情報を送信するデータ制御部と、
前記メニュー管理局からメニュー画面を表示するためのメニュー情報を受信すると、前記メニュー情報に基づいて前記メニュー画面を更新するメニュー処理部と、
を有する携帯電話機。
【請求項８】
前記データ制御部は、
予め設定された時間帯毎に前記機能選択情報を収集して前記データ格納部へ格納する請求項７記載の携帯電話機。
【発明の詳細な説明】
【技術分野】
【０００１】
本発明は携帯電話機のメニュー画面をカスタマイズするためのメニュー管理システム及び方法に関する。
【背景技術】
【０００２】
近年の携帯電話機は、音声通話や電子メール等の基本機能だけでなく、マルチメディア機能（カメラ、ワンセグ、音楽プレーヤー等）、データ通信機能（Ｗｅｂブラウザ、ＷＬＡＮ（Wireless LAN）等）、ツール機能（電話帳、スケジュール管理、アラーム出力等）等、多様な機能を備えている。
【０００３】
このような機能の多様化により、多くの利用者（以下、ユーザと称す）は携帯電話機の機能や操作を完全に把握するのが困難になってきている。また、携帯電話機の操作に習熟しているユーザや機能に精通しているユーザでも、メニュー画面が多階層で構成され、所望の機能が下位階層にある場合は、該機能を呼び出すまでに手間がかかる等の不便を感じることがある。
【０００４】
このような問題を解消するために、例えば特許文献１では、頻繁に利用する機能を呼び出すためのショートカットアイコンを携帯電話機の表示部に配置しておく方法やメニュー画面をユーザが独自にカスタマイズできる仕組みを提案している。
【０００５】
また、特許文献２、特許文献３、特許文献４等には、ユーザが選択（表示）した回数の多い機能を、優先的にメニュー画面に表示する方法が記載されている。
【０００６】
さらに、特許文献５には、ユーザの選択結果に応じて、サーバからネットワークを介してメニュー画面のコンテンツを提供することで、該ユーザの携帯電話機のメニュー画面等をカスタマイズ可能にした構成が記載されている。特許文献５では、予め各ユーザを会員登録して該ユーザの特徴を示すユーザ情報を送信させておき、各ユーザが選択したコンテンツをユーザ情報の項目（年齢、性別、職業、嗜好等）毎に分類し、データベース化しておく。そして、該データベースを参照して、各ユーザへ、性別、年代、職業、嗜好等に合致するコンテンツ群を通知したり、コンテンツの人気ランキング等を通知したりしている。このようなデータベースを用いてユーザへコンテンツを通知することで、ユーザは、同性、同年代、あるいは嗜好が似ているユーザが利用しているコンテンツを知ることが可能であり、それらの情報に基づいて自己の携帯電話機をカスタマイズできる。
【先行技術文献】
【特許文献】
【０００７】
【特許文献１】特開２００１−１４５１３８号公報
【特許文献２】特開２００１−０３６６２６号公報
【特許文献３】特開２００２−１０１１８１号公報
【特許文献４】特開２００６−２８７５５６号公報
【特許文献５】特開２００５−２３６７８０号公報
【発明の概要】
【発明が解決しようとする課題】
【０００８】
しかしながら、上記特許文献１に記載された方法は、ユーザが個別に自己の携帯電話機をカスタマイズする方法であるため、例えば携帯電話機の操作に慣れていないユーザや携帯電話機の機能についてよく知らないユーザにとっては、カスタマイズすること自体が困難な場合が多い。
【０００９】
また、上記特許文献２〜４に記載された方法は、操作履歴がある程度蓄積されるまで、ユーザは、例えば購入時に設定されているデフォルト状態から所望の機能を探す必要があるため、必ずしも操作性が向上しているとは言えない。また、一般に利便性が高いとしてよく知られている機能であっても、その機能を知らないユーザは選択することがないため、該ユーザの携帯電話機のメニュー画面に該機能が優先的に表示されることはない。
【００１０】
さらに、上記特許文献５に記載された方法も、ユーザはサーバから通知されたコンテンツを用いて、ユーザ自身で自己の携帯電話機のメニュー画面等をカスタマイズする必要があるため、多くの手間を要してしまう。さらに、特許文献５に記載された方法は、会員登録制を採用しているため、性別、年代、職業、嗜好等のサンプル数に偏りが発生し、ユーザ情報に基づいて得られる人気ランキング等が正確であるとは言い難い。
【００１１】
本発明は上述したような背景技術が有する問題点を解決するためになされたものであり、携帯電話機の操作性を向上できるメニュー管理システム及び方法を提供することを目的とする。
【課題を解決するための手段】
【００１２】
上記目的を達成するため本発明のメニュー管理システムは、ユーザによる機能毎の選択回数を示す機能選択情報を収集する携帯電話機と、
前記携帯電話機による通話やデータ通信を可能にする移動通信システムと、
前記携帯電話機から送信された前記機能選択情報を保存する、前記移動通信システムに接続された情報格納局と、
前記携帯電話機から送信された前記機能選択情報を該携帯電話機のユーザの特徴を示すユーザ情報の項目毎に前記情報格納局に蓄積し、前記携帯電話機からメニュー画面の取得要求を受信すると、該携帯電話機のユーザの特徴に合致するメニュー画面を該携帯電話機に表示するためのメニュー情報を作成し、該メニュー情報を該携帯電話機へ送信する、前記移動通信システムに接続されたメニュー管理局と、
を有する。
【００１３】
一方、本発明のメニュー管理方法は、携帯電話機が、
ユーザによる機能毎の選択回数を示す機能選択情報を収集し、
前記携帯電話機による通話やデータ通信を可能にする移動通信システムに接続されたメニュー管理局へ前記機能選択情報を送信し、
前記メニュー管理局が、
前記携帯電話機から送信された前記機能選択情報を該携帯電話機のユーザの特徴を示すユーザ情報の項目毎に前記情報格納局に蓄積し、
前記携帯電話機からメニュー画面の取得要求を受信すると、該携帯電話機のユーザの特徴に合致するメニュー画面を該携帯電話機に表示するためのメニュー情報を作成し、該メニュー情報を該携帯電話機へ送信する方法である。
【発明の効果】
【００１４】
本発明によれば、携帯電話機の操作性を向上できる。
【図面の簡単な説明】
【００１５】
【図１】第１の実施の形態のメニュー管理システムの一構成例を示すブロック図である。
【図２】図１に示した携帯電話機の一構成例を示すブロック図である。
【図３】図２に示した携帯電話機による機能毎の選択回数のカウント処理手順の一例を示すフローチャートである。
【図４】図２に示したデータ格納部で保存する機能選択情報の一例を示すテーブル図である。
【図５】図１に示した情報格納局で保存するデータベースのフォーマットの一例を示すテーブル図である。
【図６】図１に示したメニュー管理局によるメニュー画面の作成手順の一例を示すフローチャートである。
【図７】図１に示した携帯電話機によるメニュー画面の表示手順の一例を示すフローチャートである。
【図８】第２の実施の形態のデータ格納部で保存する機能選択情報の一例を示すテーブル図である。
【発明を実施するための形態】
【００１６】
次に本発明について図面を用いて説明する。
【００１７】
本発明では、会員登録したユーザに限定することなく、各ユーザの携帯電話機で機能毎の選択回数（以下、機能選択情報と称す）を収集し、各携帯電話機から該機能選択情報を、ネットワーク（移動通信システム）を介してサーバ装置（メニュー管理局）へ送信する。メニュー管理局は、携帯電話機から送信された機能選択情報を、ユーザの性別、年代、職業、嗜好等のユーザ情報の項目毎に応じて情報格納局へ蓄積する。そして、ユーザの性別、年代、職業、嗜好等に合致した階層構成のメニュー画面（以下、単にメニュー画面と称す）を作成し、該メニュー画面を表示するための情報（以下、メニュー情報と称す）をユーザの携帯電話機へ送信する。携帯電話機はメニュー管理局から送信されたメニュー情報に基づいてメニュー画面を更新する。
（第１の実施の形態）
図１は第１の実施の形態のメニュー管理システムの一構成例を示すブロック図である。
【００１８】
図１に示すように、本実施形態のメニュー管理システムは、ユーザが利用する携帯電話機１００毎のメニュー画面を作成するメニュー管理局３１０と、各ユーザの携帯電話機１００から通知される機能選択情報を保存する情報格納局３２０とを有し、メニュー管理局３１０及び情報格納局３２０が携帯電話機１００による音声通話やデータ通信等を可能にする移動通信システム２００と接続された構成である。メニュー管理局３１０は、携帯電話機１００から送信された機能選択情報を該携帯電話機１００のユーザのユーザ情報の項目毎に情報格納局３２０へ蓄積し、携帯電話機１００からメニュー画面の取得要求を受信すると、該携帯電話機１００のユーザの特徴に合致するメニュー画面を表示するためのメニュー情報を作成し、作成したメニュー情報をメニュー画面の取得要求を送信した携帯電話機１００へ送信する。なお、図１ではメニュー管理局３１０とコアネットワーク２３０が接続され、メニュー管理局３１０に情報格納局３２０が接続された構成例を示しているが、情報格納局３２０もコアネットワーク２３０と接続されていてもよい。
【００１９】
移動通信システム２００は、携帯電話機１００と無線通信を行う複数の基地局２１０と、携帯電話機１００による発呼や携帯電話機１００に対する着呼および携帯電話機１００とのデータ通信を制御する無線呼制御局２２０と、携帯電話機１００毎の位置情報を管理するコアネットワーク２３０とを備えている。メニュー管理局３１０及び情報格納局３２０は、コアネットワーク２３０と接続され、各携帯電話機１００と各種の情報の送受信が可能である。コアネットワーク２３０には他の通信システムのネットワークも接続される。
【００２０】
移動通信システム２００は、図１に示した構成に限定されるものではなく、携帯電話機１００がメニュー管理局３１０や情報格納局３２０と情報の送受信が可能であれば、どのような構成でもよい。
【００２１】
メニュー管理局３１０及び情報格納局３２０は、例えばプログラムにしたがって所要の処理を実行するＣＰＵ、記憶装置、各種の論理回路等を含むコンピュータ（サーバ装置等）で実現できる。図１に示すメニュー管理局３１０及び情報格納局３２０は、１台のコンピュータで実現されていてもよく、複数台のコンピュータで実現されていてもよい。
【００２２】
図２は、図１に示した携帯電話機の一構成例を示すブロック図である。
【００２３】
図２に示すように、本実施形態の携帯電話機１００は、ユーザ操作部１０１、データ制御部１０２、データ格納部１０３、メニュー処理部１０４及び無線部１０５を備えている。
【００２４】
ユーザ操作部１０１は、ユーザがテキストや指示等を入力するために用いるユーザインタフェースである。
【００２５】
データ制御部１０２は、ユーザによる操作に基づいて携帯電話機１００の機能毎の選択回数のカウント開始／停止を制御する。また、データ制御部１０２は、所定のタイミングで、上記機能選択情報を、移動通信システム２００を介してメニュー管理局３１０へ送信する。
【００２６】
データ格納部１０３は、ユーザの操作結果に基づいて機能毎の選択回数をカウントした結果である、上記機能選択情報を格納する。
【００２７】
メニュー処理部１０４は、メニュー管理局３１０から送信されるメニュー情報に基づいて自装置のメニュー画面を更新する。
【００２８】
無線部１０５は、移動通信システム２００が備える基地局２１０と無線通信を行う。
【００２９】
上記ユーザ操作部１０１、データ制御部１０２、データ格納部１０３、メニュー処理部１０４及び無線部１０５を含む携帯電話機１００は、ＣＰＵ、メモリ、入力キーや入力ボタン、表示部、無線通信部等を備えた周知の携帯電話機で実現できる。
【００３０】
図３は、図２に示した携帯電話機による機能毎の選択回数のカウント処理手順の一例を示すフローチャートである。
【００３１】
図３に示すように、ユーザがユーザ操作部１０１を用いて、年齢、性別、職業等の自身の特徴を示す情報（ユーザ情報）を入力すると（ステップＡ１）、データ制御部１０２は、カウントフラグをＯＮにして機能毎の選択回数のカウントを開始すると共に（ステップＡ２）、入力されたユーザ情報をデータ格納部１０３で保存する（ステップＡ３）。
【００３２】
カウントフラグは、ＯＮの場合に機能毎の選択回数のカウントを実行し、ＯＦＦの場合はカウントを停止するためのフラグである。カウントフラグのＯＮ／ＯＦＦは、ユーザ情報の登録時に限定するものではなく、他の操作によってＯＮ／ＯＦＦしてもよい。
【００３３】
ユーザ操作部１０１は、ユーザによる機能の選択有無を監視し（ステップＡ４）、ユーザの操作により任意の機能が選択されると、データ制御部１０２に該選択された機能の種類を通知する。
【００３４】
データ制御部１０２は、カウントフラグがＯＮであるか否かを判定し（ステップＡ５）、カウントフラグがＯＮであるとき、選択された機能の種類をデータ格納部１０３へ通知する。データ格納部１０３は通知された機能の選択回数のカウント値を「１」インクリメントする（ステップＡ６）。
【００３５】
データ制御部１０２は、予め設定された時間が経過したか否かを監視し（ステップＡ７）、予め設定された時間が経過すると、データ格納部１０３から機能毎の選択回数を示す上記機能選択情報を読み出し（ステップＡ８）、ユーザ情報と共に該機能選択情報を、移動通信システム２００を介してメニュー管理局３１０へ送信する（ステップＡ９）。
【００３６】
機能選択情報の一例を図４に示す。図４は機能毎の選択回数をテーブル形式で保持する例を示している。
【００３７】
データ制御部１０２は、機能選択情報をメニュー管理局３１０へ送信すると、データ格納部１０３で保存している機能毎の選択回数のカウント値をクリア（初期化）する（ステップＡ１０）。
【００３８】
なお、機能選択情報は、予め設定された時間間隔毎にメニュー管理局３１０へ通知してもよく、ユーザの指示入力によりメニュー管理局３１０へ通知してもよい。
【００３９】
また、機能は、メニュー画面だけでなく、ショートカットアイコンやショートカットコマンドを用いて選択された場合もカウント対象とし、該機能が起動したときに選択されたと判定する。例えば、受信した電子メールを閲覧する場合は、受信メールＢＯＸを開いた時点で該機能が選択されたと判定すればよい。また、ワンセグの場合は、ワンセグ映像を視聴するためのソフトウエアが起動した時点で該機能が選択されたと判定すればよい。
【００４０】
また、本実施形態では、機能の分類方法を限定するものではない。例えば、電子メールは、受信メールＢＯＸの閲覧、送信メールＢＯＸの閲覧、新規メール作成等毎に分類してもよく、これらの機能全体を１つの電子メール機能として分類してもよい。電子メールに係る機能全体を１つの電子メール機能として分類する場合、受信メールＢＯＸの閲覧回数、送信メールＢＯＸの閲覧回数、新規メール作成回数等の詳細機能毎の選択回数の総計を電子メール機能の選択回数とすればよい。
【００４１】
また、ユーザ情報には、ユーザが登録したユーザ情報の他に、機種情報（製造メーカ、機種名、機種のシリーズ名）等の携帯電話機１００を識別するための情報を含めてもよい。携帯電話機の機種情報等を通知すれば、同じ機種の携帯端末装置を利用しているユーザ毎の統計データも作成できる。
【００４２】
情報格納局３２０は、移動通信システム２００を介して通知されたユーザ毎の機能選択情報に基づき、ユーザ情報の各項目（年齢、性別、職業、嗜好等）に関連付けて機能毎の選択回数をデータベースとして蓄積する。
【００４３】
図５は、図１に示した情報格納局で保存するデータベースのフォーマットの一例を示しており、データベースのフォーマットは図５に示す例に限定されるものではない。
【００４４】
図６は、図１に示したメニュー管理局によるメニュー画面の作成手順の一例を示すフローチャートである。
【００４５】
図６に示すように、メニュー管理局３１０は、ユーザからのメニュー画面の取得要求の有無を監視し（ステップＢ１）、メニュー画面の取得要求を受信すると、該取得要求と共に送信される該ユーザの要求内容を抽出し（ステップＢ２）、該要求内容に応じた統計データを情報格納局３２０に要求する（ステップＢ３）。ユーザの要求内容としては、メニュー画面の作成に必要な統計データの種類（年代、性別、職業、使用機種、またはそれらの組み合わせ等）及び表示方法（メニュー画面に表示する機能数やメニュー画面の階層数等）等がある。
【００４６】
情報格納局３２０は、メニュー管理局３１０が指定した統計データを検索し（ステップＢ４）、検索した統計データをメニュー管理局３１０へ送信する（ステップＢ５）。
【００４７】
メニュー管理局３１０は、情報格納局３２０から送信された統計データに基づいてメニュー情報を作成し（ステップＢ６）、移動通信システム２００を介してメニュー画面の取得要求を送信したユーザの携帯電話機１００へ該メニュー情報を送信する（ステップＢ７）。
【００４８】
図７は、図１に示した携帯電話機によるメニュー画面の表示手順の一例を示すフローチャートである。
【００４９】
図７に示すように、データ制御部１０２は、メニュー画面の取得要求の発行有無を監視し（ステップＣ１）、ユーザの操作または予め設定された時間間隔でメニュー画面の取得要求が発行されると、ユーザ情報及び上記要求内容を含むメニュー画面の取得要求をメニュー管理局３１０へ送信する（ステップＣ２）。
【００５０】
メニュー画面の取得要求は、携帯電話機１００の電源ＯＮ時、メニュー画面の操作時、予め設定された時間間隔、ユーザによる指示入力時等に発行することが考えられるが、本実施形態のメニュー管理システムでは、メニュー画面の取得要求の発行周期や発行タイミングを特に限定するものではない。
【００５１】
また、ユーザの要求内容については、予め設定されたデフォルトの内容にしてもよく、ユーザにより変更可能にしてもよい。これにより携帯電話機１００の操作に不慣れなユーザは、複雑な操作をすることなく、携帯電話機１００のメニュー画面を更新できる。一方、携帯電話機１００の操作に習熟しているユーザや機能に精通しているユーザはメニュー画面を自由にカスタマイズできる。
【００５２】
メニュー処理部１０４は、メニュー管理局３１０からメニュー情報を受信したか否かを監視し（ステップＣ３）、予めタイマに設定された時間が経過してもメニュー情報を受信できない場合（ステップＣ４）、表示部にメニュー情報の取得不可を表示する（ステップＣ５）。
【００５３】
メニュー管理局３１０からメニュー情報を受信すると、メニュー処理部１０４は、該メニュー情報に基づいてメニュー画面を作成し（ステップＣ６）、ユーザにメニュー画面の更新があることを通知すると共に、変更後のメニュー画面のプレビューを表示する（ステップＣ７）。
【００５４】
メニュー処理部１０４は、プレビュー表示に対するユーザの指示入力を待ち受け（ステップＣ８）、ユーザがユーザ操作部１０１を用いて「変更ＯＫ」を入力した場合（ＯＫボタン押下等）はメニュー画面を変更する（ステップＣ９）。また、ユーザが変更不可を入力した場合はメニュー画面を変更することなく、メニュー管理局３１０から送信されたメニュー情報を削除する（ステップＣ１０）。
【００５５】
メニュー画面のプレビュー表示及びユーザによる変更可否の指示入力は、ＯＦＦに設定しておくことも可能である。その場合、メニュー処理部１０４は、メニュー管理局３１０からメニュー情報を受信すると、ユーザに通知することなく、メニュー画面を更新すればよい。
【００５６】
本実施形態のメニュー管理システムによれば、携帯電話機１００の操作に不慣れなユーザや機能の知識がないユーザでも、多くのユーザがよく利用している機能を呼び出すためのメニュー画面にカスタマイズすることが可能になる。また、本実施形態のメニュー管理システムでは、会員登録されたユーザに限定することなく、より多くのユーザから機能選択情報を収集するため、幅広いユーザへ最適なメニュー画面を提供できる。そのため、携帯電話機１００の操作性が向上する。
【００５７】
また、年代、性別、職業等に応じて統計データを作成し、該統計データに基づいてメニュー画面を作成することで、ユーザは自分と同じ年代、性別、職業等の人が多く利用しているメニュー画面を選択できる。
【００５８】
さらに、統計データに基づいてメニュー画面を作成することで、新規に携帯電話機１００を購入したユーザでも、直ぐに使用頻度が高い機能が上位階層へ配置されたメニュー画面を得ることができる。
【００５９】
なお、上記説明では、メニュー管理局３１０からユーザの要求内容に応じたメニュー情報を送信する例を示しているが、メニュー情報は、例えば携帯電話機１００の全ての機能毎の選択回数の多い順にソートした携帯電話機１００の機能一覧をメニュー画面の取得を要求した携帯電話機１００へ送信してもよい。
【００６０】
この場合、メニュー処理部１０４は、データ格納部１０３に格納された機能選択情報とメニュー管理局３１０から送信された機能一覧とを比較し、例えば自装置における選択回数が多い機能と、自装置では選択しておらず、かつ機能一覧の上位にある機能とを含めたメニュー画面を作成すればよい。また、データ制御部１０２は、データ格納部１０３で保存する機能選択情報を、メニュー管理局３１０へ通知する度にクリアすることなく、メニュー画面を作成するときまで保存しておけばよい。このようにすれば、同じ年代や性別等に応じてメニュー管理局３１０で作成されたメニュー画面よりも、ユーザ個人の嗜好をより反映したメニュー画面を作成できる。
【００６１】
また、メニュー管理局３１０で収集する情報は、機能毎の選択回数に限定する必要はなく、例えば各携帯電話機１００から機能毎の設定情報を収集し、最も多くのユーザが利用している機能毎の設定情報も併せて通知してもよい。
【００６２】
例えば、ボタン操作音や折り畳み式の携帯電話機の開閉音は、デフォルト設定ではＯＮであっても多くのユーザがＯＦＦにしている場合がある。また、カメラ機能では、画像サイズのデフォルト設定が１９２０×２５６０サイズであっても多くのユーザがそれよりも小さい４８０×８５４サイズに設定している場合がある。これら多くのユーザが利用している機能毎の設定情報に基づいて携帯電話機の各機能を設定すれば、ユーザはそれまで知らなかった利便性の高い機能を利用できるようになる。この場合も、設定情報を収集する機能、該機能のデフォルト設定、統計データの種類等を特に限定するものではない。
（第２の実施の形態）
第２の実施の形態では、機能毎の選択回数のカウント値を予め設定した時間帯毎に保存し、該機能選択情報をメニュー管理局３１０へ送信する。このようにすることで、メニュー管理局３１０は、時間帯毎に使用頻度の高い機能の情報を得ることができる。メニュー管理システムの構成及び携帯電話機の構成は第１の実施の形態と同様であるため、その説明は省略する。
【００６３】
図８は、第２の実施の形態のデータ格納部で保存する機能選択情報の一例を示すテーブル図である。
【００６４】
第２の実施の形態のメニュー管理システムでは、予め設定した時間帯毎に、図３、図６及び図７に示した第１の実施の形態と同様の処理を実行する。
【００６５】
第２の実施の形態によれば、ユーザは、時間帯毎に最適なメニュー画面を取得できる。
（第３の実施の形態）
上述した第１の実施の形態及び第２の実施の形態では、メニュー管理局３１０に対する機能選択情報の通知を携帯電話機１００が主導して行う例を示している。しかしながら、機能選択情報はメニュー管理局３１０の主導で各携帯電話機１００からメニュー管理局３１０へ報告させてもよい。メニュー管理システムの構成及び携帯電話機の構成は第１の実施の形態と同様であるため、その説明は省略する。
【００６６】
第３の実施の形態のメニュー管理局２１０は、所定のタイミングでコアネットワーク２３０に対してユーザ毎の機能選択情報の報告要求を送信する。
【００６７】
コアネットワーク２３０は、メニュー管理局２１０から機能選択情報の報告要求を受信すると、ＨＬＲ（Home Location Register）等の情報に基づいて自ネットワークで管理している各携帯電話機１００に対して、例えばコアネットワーク２３０が予め備える周知のPaging機能（呼び出し機能）等を利用して機能選択情報の報告要求を送信する。
【００６８】
機能選択情報の報告要求を受信した携帯電話機１００は、データ格納部１０３に蓄積された機能選択情報及び予め格納されたユーザ情報を、移動通信システム２００を介してメニュー管理局２１０へ送信する。
【００６９】
その場合、携帯電話機１００は、機能選択情報及びユーザ情報の送信を完了した時点で、データ格納部１０３で保存している機能毎の選択回数のカウント値をクリア（初期化）すればよい。
【００７０】
第３の実施の形態によれば、例えばエリアや時間帯毎にメニュー管理局２１０及びコアネットワークによって機能選択情報の収集タイミングを制御できるため、機能選択情報の取得に要する各携帯電話機１００によるトラフィック量を制御できる。
【符号の説明】
【００７１】
１００    携帯電話機
１０１    ユーザ操作部
１０２    データ制御部
１０３    データ格納部
１０４    メニュー処理部
１０５    無線部
２００    移動通信システム
２１０    基地局
２２０    無線呼制御局
２３０    コアネットワーク
３１０    メニュー管理局
３２０    情報格納局
【図１】
2011182180.tif 000003
【図２】
2011182180.tif 000004
【図３】
2011182180.tif 000005
【図４】
2011182180.tif 000006
【図５】
2011182180.tif 000007
【図６】
2011182180.tif 000008
【図７】
2011182180.tif 000009
【図８】
2011182180.tif 000010